(57)【要約】【課題】冷媒の流れ方向に対する相対的な空気流れの向きを任意に変更することができ、熱交換効率を向上させることができる空気調和装置を提供することにある。【解決手段】空気調和装置１は、熱交換器６と、可動板１２、１３と、制御部１９とを備えている。可動板１２、１３は、熱交換器６を通る空気流れが冷房時と暖房時とで変化するように、冷房時と暖房時とで異なる位置に配置される。制御部１９は、可動板１２、１３の位置を制御する。【選択図】図５
2008008592.tif 000002
【特許請求の範囲】
【請求項１】
熱交換器（６、２６・・・、１８６）と、
前記熱交換器（６、２６・・・、１８６）を通る空気流れが冷房時と暖房時とで変化するように、冷房時と暖房時とで異なる位置に配置される可動板（１２、１３、３２、３３、・・・、１９２、１９３）と、
前記可動板（１２、１３、３２、３３、・・・、１９２、１９３）の位置を制御する制御部（１９、３９・・・、１９９）と、
を備えている空気調和装置（１、２１・・・、１８１）。
【請求項２】
前記制御部（１９、３９・・・、１９９）は、前記可動板（１２、１３、３２、３３、・・・、１９２、１９３）を動かし、前記熱交換器（６、２６・・・、１８６）内部における冷媒入口から冷媒出口への冷媒の流れ方向に対して冷房時および暖房時とも空気流れが対向流になるように、空気の流れを切り換える、
請求項１に記載の空気調和装置（１、２１・・・、１８１）。
【請求項３】
前記熱交換器（６、２６・・・、１８６）は、所定の角度で下方に傾くように配置され、
前記空気流れは、冷房時に下向きのベクトルを持つ空気流れとなる、
請求項１または２に記載の空気調和装置（１、２１・・・、１８１）。
【請求項４】
前記可動板（１３）は、冷房時において、前記熱交換器（６）に空気が導入される導入口（１６ｂ）と前記熱交換器（６）で発生するドレンが滴下するドレン滴下口（１８）とを形成する位置に配置される、
請求項３に記載の空気調和装置（１）。
【請求項５】
冷房時において前記熱交換器（６、２６・・・、１６６）で発生するドレンが滴下する部分を前記空気流れから隔離する仕切り板（１４、３４・・・、１７４）をさらに備えている、
請求項１から４のいずれかに記載の空気調和装置（１、２１・・・、１６１）。
【請求項６】
前記熱交換器（４６）は、水平方向に配置されている、
請求項１または２に記載の空気調和装置（４１）。
【発明の詳細な説明】
【技術分野】
【０００１】
本発明は、空気調和装置に関する。
【背景技術】
【０００２】
空気調和装置の熱交換率を向上させるためには、冷房時および冷暖時の両方において、熱交換器内部における冷媒の流れと空気の流れとが対向する、いわゆる対向流となるのが熱交換効率の向上の点で好ましい。しかし、通常、熱交換器を通過する空気の流れ方向が冷房時および暖房時ともに同一方向であるため、例えば、暖房時に対向流となるようにすると、冷房時には冷媒の流れが逆向きになるので冷媒の流れと空気の流れとが平行になる平行流となってしまう。
【０００３】
そこで、冷房時および暖房時の両方で対向流となるように、特許文献１に記載される冷媒回路で採用されるように、四方切換弁を用いて冷媒の流れを制御し、冷房時および暖房時ともに対向流にする方法は従来から知られている。
【特許文献１】特開平９−２８０６８０号公報
【発明の開示】
【発明が解決しようとする課題】
【０００４】
しかしながら、特許文献１記載の冷媒回路の場合、熱交換器内部の冷媒の流れを切り換えるための四方切換弁を必要とするので、冷媒回路が複雑になるとともに製造コストが増大するという問題がある。
【０００５】
本発明の課題は、冷媒の流れ方向に対する相対的な空気流れの向きを任意に変更することができ、熱交換効率を向上させることができる空気調和装置を提供することにある。
【課題を解決するための手段】
【０００６】
第１発明の空気調和装置は、熱交換器と、可動板と、制御部とを備えている。可動板は、熱交換器を通る空気流れが冷房時と暖房時とで変化するように、冷房時と暖房時とで異なる位置に配置される。制御部は、可動板の位置を制御する。
【０００７】
ここでは、可動板が熱交換器を通る空気流れが冷房時と暖房時とで変化するように冷房時と暖房時とで異なる位置に配置されるので、冷媒の流れ方向に対する相対的な空気流れの向きを任意に変更することができ、熱交換効率を向上させることができる。
【０００８】
第２発明の空気調和装置は、第１発明の空気調和装置であって、制御部は、可動板を動かし、熱交換器内部における冷媒入口から冷媒出口への冷媒の流れ方向に対して冷房時および暖房時とも空気流れが対向流になるように、空気の流れを切り換える。
【０００９】
ここでは、可動板を動かして熱交換器内部における冷媒入口から冷媒出口への冷媒の流れ方向に対して冷房時および暖房時とも空気流れが対向流になるように空気の流れを切り換えることによって、冷媒の流れを制御することなく、冷房時および暖房時の両方において対向流が得られ、熱交換効率をより向上させることができる。
【００１０】
第３発明の空気調和装置は、第１発明または第２発明の空気調和装置であって、熱交換器は、所定の角度で下方に傾くように配置される。空気流れは、冷房時に下向きのベクトルを持つ空気流れとなる。
【００１１】
ここでは、冷房時において下方に傾斜した熱交換器の内部を下向きに空気が流れることによって、ドレンの円滑な滴下を可能にする。
【００１２】
第４発明の空気調和装置は、第３発明の空気調和装置であって、可動板は、冷房時において、熱交換器に空気が導入される導入口と熱交換器で発生するドレンが滴下するドレン滴下口とを形成する位置に配置される。
【００１３】
ここでは、可動板が冷房時において熱交換器に空気が導入される導入口と熱交換器で発生するドレンが滴下するドレン滴下口とを形成する位置に配置されるので、空気流れと分離してドレンをより円滑に滴下することができる。
【００１４】
第５発明の空気調和装置は、第１発明から第４発明のいずれかの空気調和装置であって、仕切り板をさらに備えている。仕切り板は、冷房時において熱交換器で発生するドレンが滴下する部分を空気流れから隔離する。
【００１５】
ここでは、仕切り板をさらに備えているので、冷房時において空気流れとドレンの滴下する部分を完全に隔離できる。
【００１６】
第６発明の空気調和装置は、第１発明または第２発明の空気調和装置であって、熱交換器は、水平方向に配置されている。
【００１７】
ここでは、熱交換器が水平方向に配置されているので、空気調和装置全体の高さを低くすることが可能になり、かつ、ドレンが滴下する部分を空気流れから隔離する仕切り板が不要になる。
【発明の効果】
【００１８】
第１発明によれば、冷媒の流れ方向に対する相対的な空気流れの向きを任意に変更することができ、熱交換効率を向上させることができる。
【００１９】
第２発明によれば、冷媒の流れを制御することなく、冷房時および暖房時の両方において対向流が得られ、熱交換効率をより向上させることができる。
【００２０】
第３発明によれば、ドレンを円滑に滴下することができる。
【００２１】
第４発明によれば、空気流れと分離してドレンをより円滑に滴下することができる。
【００２２】
第５発明によれば、冷房時において空気流れとドレンの滴下する部分を完全に隔離できる。
【００２３】
第６発明によれば、空気調和装置全体の高さを低くすることが可能になり、かつ、ドレンが滴下する部分を空気流れから隔離する仕切り板が不要になる。
【発明を実施するための最良の形態】
【００２４】
［第１実施形態］
＜空気調和装置１の冷凍回路＞
図１は、ＣＯ２冷媒を使用した空気調和装置１の冷凍回路である。空気調和装置１は、圧縮機２、四路切換弁３、室外熱交換器４、膨張弁５および室内熱交換器６を、冷媒配管で連結した冷凍回路を有する。図１において、実線と破線の矢印は冷媒の流れ方向を示しており、空気調和装置１は、四路切換弁３で冷媒の流れ方向を切り換えることにより、暖房と冷房を切り換えることができる。
【００２５】
冷房時においては、室外熱交換器４が凝縮器となり、室内熱交換器６が蒸発器となる。一方、暖房時においては、室外熱交換器４が蒸発器となり、室内熱交換器６が凝縮器となる。室外熱交換器４および室内熱交換器６は、それぞれプレートフィン６１１（図３参照）と伝熱管６１２（図３参照）とを有している。伝熱管６１２の内部を流れる冷媒は、プレートフィン６１１と空気流を介して熱交換を行う。
【００２６】
図１において、Ａ点は暖房時における圧縮機２の吸入側であり、Ｂ点は暖房時における圧縮機２の吐出側である。Ｃ点は暖房時における室内熱交換器６の冷媒出口側であり、Ｄ点は暖房時における室外熱交換器４の冷媒入口側である。
【００２７】
図２（ａ）は、ＣＯ２冷媒の圧力−エンタルピー状態図であり、縦軸は圧力Ｐ、横軸はエンタルピーｈを表す。Ｔｋは臨界点Ｋを通る等温線であり、Ｔｘは温度Ｔｘの等温線である。Ｔｘ＞Ｔｋであり等温線Ｔｋの右側では、ＣＯ２冷媒が液化も２相化も起こらない。等温線Ｔｋの右側で臨界圧Ｐｋ以上の領域を超臨界状態と呼び、本実施形態の熱交換器を使用する空気調和装置１では、超臨界状態を含む冷凍サイクルで運転される。図２（ａ）のＡ、Ｂ、Ｃ、Ｄは、図１のＡ、Ｂ、Ｃ、Ｄの点に対応した冷媒の状態を表している。
【００２８】
図２（ｂ）は、ＣＯ２冷媒の温度−エントロピー状態図であり、縦軸は温度Ｔ、横軸はエンタルピーｓを表す。図２（ｂ）のＡ、Ｂ、Ｃ、Ｄは、図１のＡ、Ｂ、Ｃ、Ｄの点に対応した冷媒の状態を表している。冷媒の温度は、圧縮機２の吐出側であるＢ点を出てから、室内熱交換器６の冷媒出口であるＣ点へ至るまでの間に低下する。このため、室内熱交換器６表面の温度は、冷媒の上流側の温度が高く下流側の温度が低くなる温度分布となっている。したがって、空気流が、冷媒の下流側から冷媒の上流側に向かって通過する方が、空気と室内熱交換器６との温度差が安定し、空気と室内熱交換器６との熱交換量が増加する。
【００２９】
＜室内熱交換器６の構成＞
室内熱交換器６は、図４に示されるように、空気調和装置１のケーシング１１の内部において、斜め下方に傾斜して配置されている。
【００３０】
室内熱交換器６は、図３に示されるように、クロスフィンタイプの熱交換器である。プレートフィン６１１は、薄いアルミニウム製の平板であり、一枚のプレートフィン６１１には複数の貫通孔６１１ａが形成されている。伝熱管６１２は、プレートフィン６１１の貫通孔６１１ａに挿入される直管６１２ａと、隣り合う直管６１２ａの端部同士を連結するＵ字管６１２ｂ、６１２ｃとを有している。なお、本実施形態の伝熱管６１２は、直管６１２ａとＵ字管６１２ｂとは一体に形成されており、Ｕ字管６１２ｃは、直管６１２ａがプレートフィン６１１の貫通孔６１１ａに挿入された後で、溶接などによって直管６１２ａの端部に連結される。
【００３１】
伝熱管６１２は、空気流れと交差する方向に配置されてできる列６６１〜６７２が、空気流の上流から空気流の下流に向かって１２列配置されている。冷媒は、空気流の下流側の列６７２に属する伝熱管６１２から、空気流の上流側の列６６１に属する伝熱管６１２に流れる。これによって、空気流と冷媒の流れとは、対向するようになるので、対向しないものと比べて熱交換量が増加する。但し、実験によって伝熱管の列が３列以下の熱交換器では、空気流と冷媒の流れを対向させても、対向させなくても、効果に大差はない。
＜空気調和装置１の内部における空気流路の構成＞
第１実施形態に係わる空気調和装置１は、図４〜５に示されるように、下吸込み上吹出しの床置き型空気調和装置である。また、空気調和装置１は、室内熱交換器６を通る空気流路を形成するために、ケーシング１１と、上部可動板１２と、下部可動板１３と、仕切り板１４と、ドレンを貯めるためのドレンパン１５と、上部可動板１２および下部可動板１３の位置を制御する制御部１９とを備えている。制御部１９は、空気調和装置１の制御用マイコン等である。
【００３２】
空気の流れは、図示されないシロッコファンまたはクロスフローファンなどの送風手段によって生成され、ケーシング１１の下部の吸込口１１ｂからケーシング１１の内部に空気が吸い込まれ、ケーシング１１の上部の吹出口１１ａから空気が吹き出す空気流れである。暖房時では図４に示されるように、空気流れＦ１、Ｆ２、Ｆ３、Ｆ４およびＦ５の順に流れる。冷房時では図５に示されるように、図４の空気流れＦ３と逆方向の空気流れＦ６に変更することによって、空気流れＦ１、Ｆ２、Ｆ６、Ｆ４およびＦ５の順に流れる
室内熱交換器６は、所定の角度で下方に傾くように配置されている。空気流れは、冷房時において図５に示されるように、下向きのベクトルを持つ空気流れＦ６となる。室内熱交換器６の傾斜角度は、室内熱交換器６の内部で発生するドレンが下方へ流れることが可能な角度で設定される。
【００３３】
上部可動板１２は、室内熱交換器６の上面側にスライド自在に取り付けられている。上部可動板１２は、往復駆動機構によって発生される往復駆動力によって往復移動することができる。往復駆動機構は、上部可動板１２を往復駆動することが可能な機構であればよい。例えば、サーボモータとリンク機構とを組み合わせた機構、またはリニアモータなどが往復駆動機構として採用され得る。
【００３４】
下部可動板１３は、室内熱交換器６の下面側にスライド自在に取り付けられている。下部可動板１３も、上部可動板１２と同様に、往復駆動機構によって発生される往復駆動力によって往復移動することができる。
【００３５】
下部可動板１３は、冷房時において図５に示されるように、室内熱交換器６に空気が導入される導入口１６ｂと室内熱交換器６で発生するドレンが滴下するドレン滴下口１８とを形成する位置に配置される。
【００３６】
制御部１９は、上部可動板１２および下部可動板１３のそれぞれの往復駆動機構に接続され、上部可動板１２および下部可動板１３の位置を制御する。
【００３７】
仕切り板１４は、冷房時（図５）において室内熱交換器６で発生するドレンが滴下する部分であるドレン滴下口１８およびドレンを受けるドレンパン１５を吸込口１１ｂから吸入された空気流れＦ１から隔離する。仕切り板１４は、下部可動板１３の下端に空気が洩れないように揺動自在に配置されている。仕切り板１４は、下部可動板１３が図４に示される位置から図５に示される位置へ移動するのに追随して移動することによって、ケーシング１１下部の吸込口１１ｂからケーシング１１内部に吸入された直後の空気流れＦ１の向きを変更することが可能である。
【００３８】
以上のように、上部可動板１２、下部可動板１３および仕切り板１４が図４に示される位置と図５に示される位置との間を変更することによって、以下の項目で詳述する図４に示される暖房時の空気流れと図５に示される冷房時の空気流れとを切り換えることが可能になる。
【００３９】
＜暖房時における空気の流れ＞
図４に示されるように暖房時における一連の空気流れＦ１〜Ｆ５のうち、室内熱交換器６の内部を流れる空気流れＦ３は、それぞれ移動可能な上部可動板１２および下部可動板１３によって、冷媒入口Ｒ１inから冷媒出口Ｒ１outへの冷媒の流れ方向Ｒ１に対向する対向流となる。
【００４０】
まず、ケーシング下部の吸込口１１ｂから室内の空気がケーシング１１内部に導入され、ケーシング１１内部を仕切り板１４に沿って空気流れＦ１が流れる。ついで、室内熱交換器６の下面側の最下端部の下部可動板１３が開いている導入口１６ａから室内熱交換器６の内部に空気流れＦ２が流れる。ついで、室内熱交換器６内部を通って斜め上方に空気流れＦ３が流れることにより空気と冷媒との間で熱交換が行なわれて空気が加熱される。その後、室内熱交換器６の上面側の最上端部の上部可動板１２が開いている排出口１７ａから室内熱交換器６の外部に空気流れＦ４が流れ、最後に、ケーシング上部の吹出口１１ａから空気流れＦ５がケーシング１１外部に吹き出す。
【００４１】
＜冷房時における空気の流れ＞
図５に示されるように冷房時における空気の流れは、上部可動板１２、下部可動板１３および仕切り板１４がそれぞれ図５に示される位置に移動することによって、冷房時においても冷媒入口Ｒ２inから冷媒出口Ｒ２outへの冷媒の流れ方向Ｒ２（冷媒回路の四方切替弁３（図１参照）を切り換えることによって、Ｒ２は暖房時の冷媒の流れ方向Ｒ１から逆方向になる）に対向する対向流となる。
【００４２】
図５に示されるように、冷房時においては、上部可動板１２は、斜め上方へ移動して、室内熱交換器６の上面側の最下端部に排出口１７ｂを形成する。また、下部可動板１３は、斜め下方へ移動して、室内熱交換器６の下面側の最上端部に導入口１６ｂを形成し、それとともに室内熱交換器６の下面側の最下端部にドレン滴下口１８を形成する。さらに、仕切り板１４は、下部可動板１３とともに移動して、吸込口１１ｂから流入した空気を空気室内熱交換器６の下面側の最下端部へ流れないように遮蔽する位置へ移動している。これによって、仕切り板１４は、冷房時において室内熱交換器６で発生するドレンが滴下する部分であるドレン滴下口１８およびドレンを受けるドレンパン１５を吸込口１１ｂから吸入された空気流れＦ１から隔離する。
【００４３】
図５に示されるように冷房時における空気の流れは、まず、ケーシング１１下部の吸込口１１ｂから室内の空気がケーシング１１内部に導入され、仕切り板１４によってドレン滴下口１８およびドレンパン１５が空気流れＦ１から隔離された状態で空気流れＦ１がケーシング１１内部を上方へ流れる。ついで、室内熱交換器６の下面側の最上端部の下部可動板１３が開いている導入口１６ｂから室内熱交換器６の内部に空気流れＦ２が流入する。ついで、室内熱交換器６内部を通って斜め下方に空気流れＦ６が流れることにより空気と冷媒との間で熱交換が行なわれて空気が冷却される。その後、室内熱交換器６の上面側の最下端部の上部可動板１２が開いている排出口１７ｂから室内熱交換器６の外部に空気流れＦ４が吹き出す。最後に、ケーシング上部の吹出口１１ａから空気流れＦ５がケーシング１１外部に吹き出す。
【００４４】
このとき、室内熱交換器６で発生するドレンは、ドレン滴下口１８から滴下してドレンパン１５に貯められる。しかも、空気流れＦ６がドレンを室内熱交換器６の斜め下方へ押し出す方向に室内熱交換器６の内部を通過するため、ドレンがドレンパン１５の方へ流れ落ちやすくなり、ドレンの回収性能が向上している。
【００４５】
［第１実施形態の特徴］
（１）
第１実施形態の空気調和装置１は、室内熱交換器６と、室内熱交換器６を通る空気流れＦ３またはＦ６（図４〜５参照）が冷房時と暖房時とで変化するように、冷房時と暖房時とで異なる位置に配置される上部可動板１２および下部可動板１３と、上部可動板１２および下部可動板１３の位置を制御する制御部１９とを備えている。これにより、冷媒の流れ方向Ｒ１、Ｒ２に対する相対的な空気流れＦ３またはＦ６の向きを任意に変更することができ、熱交換効率を向上させることが可能になっている。
【００４６】
（２）
第１実施形態の空気調和装置１では、制御部１９は、上部可動板１２および下部可動板１３を動かし、室内熱交換器６内部における冷媒入口から冷媒出口への冷媒の流れ方向Ｒ１またはＲ２に対して冷房時および暖房時とも空気流れＦ３またはＦ６（図４〜５参照）が対向流になるように、空気の流れを切り換える。これにより、冷媒回路全体の冷媒の流れを切り換える四方切替弁３（図１参照）と別に室内熱交換器６の冷媒の流れを切り換える四方切替弁を設けて冷媒の流れを制御することなく、冷房時および暖房時の両方において対向流が得られ、熱交換効率をより向上させることが可能になる。
【００４７】
（３）
第１実施形態の空気調和装置１では、室内熱交換器６は、所定の角度で下方に傾くように配置され、空気流れは、冷房時に下向きのベクトルを持つ空気流れＦ６（図５参照）となる。したがって、冷房時において下方に傾斜した室内熱交換器６の内部を下向きに空気が流れることによって、ドレンの円滑な滴下が可能になる。
【００４８】
（４）
第１実施形態の空気調和装置１では、下部可動板１３は、図５に示される冷房時において、室内熱交換器６に空気が導入される導入口１６ｂと室内熱交換器６で発生するドレンが滴下するドレン滴下口１８とを形成する位置に配置されるので、空気流れＦ６と分離してドレンをより円滑に滴下することが可能である。
【００４９】
（５）
第１実施形態の空気調和装置１では、図５に示される冷房時において室内熱交換器６で発生するドレンが滴下する部分であるドレン滴下口１８およびドレンパン１５を空気流れＦ１から隔離する仕切り板１４をさらに備えている。したがって、冷房時において空気流れＦ１とドレンの滴下する部分を完全に隔離できる。
【００５０】
［第１実施形態の変形例］
（Ａ）
第１実施形態の空気調和装置１では、上部可動板１２および下部可動板１３は、室内熱交換器６の上下端面に沿ってスライド自在に取り付けられているが、本発明はこれに限定されるものではない。本発明の変形例として、室内熱交換器６の上下端面の両端部だけをを部分的に開閉できるシャッタのような可動板を採用しても、上記第１実施形態の特徴の（１）〜（２）の作用を奏することが可能である。
【００５１】
［第２実施形態］
第２実施形態の空気調和装置２１は、図６〜７に示されるように、下吸込み上吹出しの床置き型空気調和装置であり、室内熱交換器２６の傾斜方向が第１実施形態の室内熱交換器６（図４〜５参照）と比較して逆の傾斜方向になっている点で、第１実施形態の空気調和装置１と異なっているが、その他の点については共通している。
【００５２】
第２実施形態の空気調和装置２１についても、図６〜７に示されるように、上部可動板３２、下部可動板３３および仕切り板３４が図６に示される位置と図７に示される位置との間を変更することによって、以下の項目で詳述する図６に示される暖房時の空気流れと図７に示される冷房時の空気流れとを切り換えることが可能になる。
【００５３】
＜暖房時における空気の流れ＞
図６に示されるように暖房時における一連の空気流れＦ２１〜Ｆ２５のうち、室内熱交換器２６の内部を流れる空気流れＦ２３は、それぞれ移動可能な上部可動板３２および下部可動板３３によって、冷媒入口Ｒ２１inから冷媒出口Ｒ２１outへの冷媒の流れ方向Ｒ２１に対向する対向流となる。
【００５４】
まず、ケーシング下部の吸込口３１ｂから室内の空気がケーシング３１内部に導入される。ついで、仕切り板３４が空気流れＦ２の流れをじゃましない位置にあるので、室内熱交換器２６の下面側の最下端部の下部可動板３３が開いている導入口３６ａから室内熱交換器２６の内部に空気流れＦ２２が流れる。ついで、室内熱交換器２６内部を通って斜め上方に空気流れＦ２３が流れることにより空気と冷媒との間で熱交換が行なわれて空気が加熱される。その後、室内熱交換器２６の上面側の最上端部の上部可動板３２が開いている排出口３７ａから室内熱交換器２６の外部に空気流れＦ２４が流れ、最後に、ケーシング３１上部の吹出口３１ａから空気流れＦ２５がケーシング３１外部に吹き出す。
【００５５】
＜冷房時における空気の流れ＞
図７に示されるように冷房時における空気の流れは、上部可動板３２、下部可動板３３および仕切り板３４がそれぞれ図７に示される位置に移動することによって、冷房時においても冷媒入口Ｒ２２inから冷媒出口Ｒ２２outへの冷媒の流れ方向Ｒ２２（Ｒ２２は暖房時の冷媒の流れ方向Ｒ２１から逆方向になる）に対向する対向流となる。
【００５６】
図７に示されるように、冷房時においては、上部可動板３２は、斜め上方へ移動して、室内熱交換器２６の上面側の最下端部に排出口３７ｂを形成する。また、下部可動板３３は、斜め下方へ移動して、室内熱交換器２６の下面側の最上端部に導入口３６ｂを形成し、それとともに室内熱交換器２６の下面側の最下端部にドレン滴下口３８を形成する。さらに、仕切り板３４は、下部可動板１３とともに移動して、吸込口３１ｂから流入した空気を空気室内熱交換器２６の下面側の最下端部へ流れないように遮蔽する位置へ移動している。これによって、仕切り板３４は、冷房時において室内熱交換器２６で発生するドレンが滴下する部分であるドレン滴下口３８およびドレンを受けるドレンパン３５を吸込口３１ｂから吸入された空気流れＦ２１およびＦ２２から隔離する。
【００５７】
図７に示されるように冷房時における空気の流れは、まず、ケーシング３１下部の吸込口３１ｂから室内の空気がケーシング３１内部に空気流れＦ２１のように導入され、仕切り板３４によってドレン滴下口３８およびドレンパン３５が空気流れＦ２１およびＦ２２から隔離された状態で空気流れＦ２２がケーシング１１内部を上方へ流れる。ついで、室内熱交換器２６の下面側の最上端部の下部可動板３３が開いている導入口３６ｂから室内熱交換器２６の内部に空気流れＦ２２が流入する。ついで、室内熱交換器２６内部を通って斜め下方に空気流れＦ２６が流れることにより空気と冷媒との間で熱交換が行なわれて空気が冷却される。その後、室内熱交換器２６の上面側の最下端部の上部可動板３２が開いている排出口３７ｂから室内熱交換器２６の外部に空気流れＦ２４が吹き出す。最後に、ケーシング上部の吹出口３１ａから空気流れＦ２５がケーシング３１外部に吹き出す。図７において、排出口３７ｂの直上に吹出口３１ａが位置しているので、空気流れＦ２４の移動距離が短くなり、熱損失が小さくなる。
【００５８】
このとき、室内熱交換器２６で発生するドレンは、ドレン滴下口３８から滴下してドレンパン３５に貯められる。しかも、空気流れＦ２６がドレンを室内熱交換器２６の斜め下方へ押し出す方向に室内熱交換器２６の内部を通過するため、ドレンがドレンパン３５の方へ流れ落ちやすくなり、ドレンの回収性能が向上している。
【００５９】
［第２実施形態の特徴］
（１）
第２実施形態の空気調和装置２１は、図６〜７に示されるように、室内熱交換器２６の傾斜方向が第１実施形態の室内熱交換器６（図４〜５参照）と比較して逆の傾斜方向になっている。この場合、図７に示される冷房時において、排出口３７ｂの直上に吹出口３１ａが位置しているので、冷房時における空気流れＦ２４の移動距離が短くなり、熱損失が小さくなる。
【００６０】
（２）
また、第２実施形態の空気調和装置２１についても、第１実施形態の空気調和装置１と同様に、室内熱交換器２６は、所定の角度で下方に傾くように配置され、空気流れは、冷房時に下向きのベクトルを持つ空気流れＦ２６（図７参照）となる。したがって、冷房時において下方に傾斜した室内熱交換器２６の内部を下向きに空気が流れることによって、ドレンの円滑な滴下が可能になる。
【００６１】
（３）
さらに、第２実施形態の空気調和装置２１についても、第１実施形態の空気調和装置１と同様に、制御部３９は、上部可動板３２および下部可動板３３を動かし、室内熱交換器２６内部における冷媒入口から冷媒出口への冷媒の流れ方向Ｒ２１またはＲ２２に対して冷房時および暖房時とも空気流れＦ２３またはＦ２６（図６〜７参照）が対向流になるように、空気の流れを切り換える。これにより、冷媒回路全体の冷媒の流れを切り換える四方切替弁３（図１参照）と別に室内熱交換器２６の冷媒の流れを切り換える四方切替弁を設けて冷媒の流れを制御することなく、冷房時および暖房時の両方において対向流が得られ、熱交換効率をより向上させることが可能になる。
【００６２】
［第３実施形態］
第３実施形態の空気調和装置４１は、図８〜９に示されるように、下吸込み上吹出しの床置き型空気調和装置であり、室内熱交換器４６が水平に配置された点で第１実施形態の室内熱交換器６（図４〜５参照）と異なっているが、その他の点については共通している。
【００６３】
第３実施形態の空気調和装置４１についても、図８〜９に示されるように、上部可動板５２、下部可動板５３および仕切り板５４が図８に示される位置と図９に示される位置との間を変更することによって、以下の項目で詳述する図８に示される暖房時の空気流れと図９に示される冷房時の空気流れとを切り換えることが可能になる。
【００６４】
＜暖房時における空気の流れ＞
図８に示されるように暖房時における一連の空気流れＦ４１〜Ｆ４４のうち、室内熱交換器４６の内部を流れる空気流れＦ４２は、それぞれ移動可能な上部可動板５２および下部可動板５３によって、冷媒入口Ｒ４１inから冷媒出口Ｒ４１outへの冷媒の流れ方向Ｒ４１に対向する対向流となる。
【００６５】
まず、ケーシング下部の吸込口５１ｂから室内の空気がケーシング５１内部に導入される。ついで、仕切り板５４に沿って室内熱交換器４６の下面側右端の下部可動板５３が開いている導入口５６ａから室内熱交換器４６の内部に空気流れＦ４１が流れる。ついで、室内熱交換器４６内部を通って水平左向きに空気流れＦ４２が流れることにより空気と冷媒との間で熱交換が行なわれて空気が加熱される。その後、室内熱交換器４６の上面側左端の上部可動板５２が開いている排出口５７ａから室内熱交換器４６の外部に空気流れＦ４３が流れ、最後に、ケーシング５１上部の吹出口５１ａから空気流れＦ４４がケーシング５１外部に吹き出す。
【００６６】
＜冷房時における空気の流れ＞
図９に示されるように冷房時における空気の流れは、上部可動板５２、下部可動板５３および仕切り板５４がそれぞれ図９に示される位置に移動することによって、冷房時においても冷媒入口Ｒ４２inから冷媒出口Ｒ４２outへの冷媒の流れ方向Ｒ４２（Ｒ４２は暖房時の冷媒の流れ方向Ｒ４１から逆方向になる）に対向する対向流となる。
【００６７】
図９に示されるように、冷房時においては、上部可動板５２は、左方へ移動して、室内熱交換器２６の上面側右端に排出口５７ｂを形成する。また、下部可動板５３は、右方へ移動して、室内熱交換器４６の下面側左端に導入口５６ｂを形成し、それとともに室内熱交換器４６の下面側右端にドレン滴下口５８を形成する。さらに、仕切り板５４は、下部可動板５３とともに移動して、吸込口５１ｂから流入した空気を室内熱交換器４６の右端部へ流れないように遮蔽する位置へ移動している。これによって、仕切り板５４は、冷房時において室内熱交換器４６で発生するドレンが滴下する部分であるドレン滴下口５８およびドレンを受けるドレンパン５５を吸込口５１ｂから吸入された空気流れＦ４１から隔離する。
【００６８】
図９に示されるように冷房時における空気の流れは、まず、ケーシング５１下部の吸込口５１ｂから室内の空気がケーシング５１内部に空気流れＦ４１のように導入され、仕切り板５４によってドレン滴下口５８およびドレンパン５５が空気流れＦ４１から隔離された状態で空気流れＦ４１がケーシング５１内部を上方へ流れる。ついで、室内熱交換器４６の下面側左端の下部可動板５３が開いている導入口５６ｂから室内熱交換器４６の内部に空気流れＦ４１が流入する。ついで、室内熱交換器４６内部を通って右方に空気流れＦ４６が流れることにより空気と冷媒との間で熱交換が行なわれて空気が冷却される。その後、室内熱交換器４６の上面側右端の上部可動板５２が開いている排出口５７ｂから室内熱交換器４６の外部に空気流れＦ４３が吹き出す。最後に、ケーシング上部の吹出口５１ａから空気流れＦ４４がケーシング５１外部に吹き出す。
【００６９】
このとき、室内熱交換器４６で発生するドレンは、ドレン滴下口５８から滴下してドレンパン５５に貯められる。しかも、空気流れＦ４６がドレンを室内熱交換器４６の右方へ押し出す方向に室内熱交換器４６の内部を通過するため、ドレンがドレンパン５５の方へ流れ落ちやすくなり、ドレンの回収性能が向上している。
【００７０】
［第３実施形態の特徴］
（１）
第３実施形態の空気調和装置４１では、図８〜９に示されるように、室内熱交換器４６が水平方向に配置されているので、空気調和装置４１の全体の高さを低くすることが可能になる
（２）
第３実施形態の空気調和装置４１では、冷房時において図９に示されるように、空気流れＦ４６がドレンを室内熱交換器４６の右方へ押し出す方向に室内熱交換器４６の内部を通過するため、ドレンがドレンパン５５の方へ流れ落ちやすくなり、ドレンの回収性能が向上している。
【００７１】
（３）
また、第３実施形態の空気調和装置４１についても、第１実施形態の空気調和装置１と同様に、制御部５９は、上部可動板５２および下部可動板５３を動かし、室内熱交換器４６内部における冷媒入口から冷媒出口への冷媒の流れ方向Ｒ４１またはＲ４２に対して冷房時および暖房時とも空気流れＦ４２またはＦ４６（図８〜９参照）が対向流になるように、空気の流れを切り換える。これにより、冷媒回路全体の冷媒の流れを切り換える四方切替弁３（図１参照）と別に室内熱交換器４６の冷媒の流れを切り換える四方切替弁を設けて冷媒の流れを制御することなく、冷房時および暖房時の両方において対向流が得られ、熱交換効率をより向上させることが可能になる。
【００７２】
［第４実施形態］
第４実施形態の空気調和装置６１は、図１０〜１１に示されるように、下吸込み上吹出しの床置き型空気調和装置であり、室内熱交換器６６が垂直に配置され、かつ、ケーシング７１内部に固定された仕切り板７４によってドレンパン７５が囲まれている点で、第１実施形態の空気調和装置１と異なっているが、その他の点については共通している。
【００７３】
第４実施形態の空気調和装置６１についても、図１０〜１１に示されるように、右側可動板７２および左側可動板７３が図１０に示される位置と図１１に示される位置との間を変更することによって、以下の項目で詳述する図１０に示される暖房時の空気流れと図１１に示される冷房時の空気流れとを切り換えることが可能になる。
【００７４】
＜暖房時における空気の流れ＞
図１０に示されるように暖房時における一連の空気流れＦ６１〜Ｆ６４のうち、室内熱交換器６６の内部を流れる空気流れＦ６２は、それぞれ移動可能な右側可動板７２および左側可動板７３によって、冷媒入口Ｒ６１inから冷媒出口Ｒ６１outへの冷媒の流れ方向Ｒ６１に対向する対向流となる。
【００７５】
まず、ケーシング下部の吸込口７１ｂから室内の空気がケーシング７１内部に導入される。ついで、仕切り板７４によってドレン滴下口７８およびドレンパン７５が空気流れＦ６１から隔離された状態で、室内熱交換器６６の左面側下端の左側可動板７３が開いている導入口７６ａから室内熱交換器６６の内部に空気流れＦ６１が流れる。ついで、室内熱交換器６６内部を通って上方に空気流れＦ６２が流れることにより空気と冷媒との間で熱交換が行なわれて空気が加熱される。その後、室内熱交換器６６の右面側上端の右側可動板７２が開いている排出口７７ａから室内熱交換器６６の外部に空気流れＦ６３が流れ、最後に、ケーシング７１上部の吹出口７１ａから空気流れＦ６４がケーシング７１外部に吹き出す。
【００７６】
＜冷房時における空気の流れ＞
図１１に示されるように冷房時における空気の流れは、右側可動板７２および左側可動板７３がそれぞれ図１１に示される位置に移動することによって、冷房時においても冷媒入口Ｒ６２inから冷媒出口Ｒ６２outへの冷媒の流れ方向Ｒ６２（Ｒ６２は暖房時の冷媒の流れ方向Ｒ６１から逆方向になる）に対向する対向流となる。
【００７７】
図１１に示されるように、冷房時においては、右側可動板７２は、上方へ移動して、室内熱交換器６６の右面側下端に排出口７７ｂを形成する。また、左側可動板７３は、下方へ移動して、室内熱交換器６６の左面側上端に導入口７６ｂを形成する。
【００７８】
図１１に示されるように冷房時における空気の流れは、まず、ケーシング７１下部の吸込口７１ｂから室内の空気がケーシング７１内部に空気流れＦ６１のように導入され、仕切り板７４によってドレン滴下口７８およびドレンパン７５が空気流れＦ６１から隔離された状態で空気流れＦ６１がケーシング７１内部を上方へ流れる。ついで、室内熱交換器６６の左面側上端の左側可動板７３が開いている導入口７６ｂから室内熱交換器６６の内部に空気流れＦ６１が流入する。ついで、室内熱交換器６６内部を通って下方に空気流れＦ６６が流れることにより空気と冷媒との間で熱交換が行なわれて空気が冷却される。その後、室内熱交換器６６の右面側下端の右側可動板７２が開いている排出口７７ｂから室内熱交換器６６の外部に空気流れＦ６３が吹き出す。空気流れＦ６３は、仕切り板７４によってドレンパン７５への流れが規制されているので上方へ流れる。最後に、ケーシング上部の吹出口７１ａから空気流れＦ６４がケーシング７１外部に吹き出す。
【００７９】
このとき、室内熱交換器６６で発生するドレンは、ドレン滴下口７８から滴下してドレンパン７５に貯められる。しかも、空気流れＦ６６がドレンを室内熱交換器６６の下方へ押し出す方向に室内熱交換器６６の内部を通過するため、ドレンがドレンパン７５の方へ流れ落ちやすくなり、ドレンの回収性能が向上している。
【００８０】
［第４実施形態の特徴］
（１）
第４実施形態の空気調和装置６１では、室内熱交換器６６は、垂直方向に配置され、空気流れは、冷房時に下向きのベクトルを持つ空気流れＦ６６（図１１参照）となる。したがって、冷房時において垂直に配置された室内熱交換器６６の内部を下向きに空気が流れることによって、ドレンの円滑な滴下が可能になる。
【００８１】
（２）
また、第４実施形態の空気調和装置６１についても、第１実施形態の空気調和装置１と同様に、制御部７９は、右側可動板７２および左側可動板７３を動かし、室内熱交換器６６内部における冷媒入口から冷媒出口への冷媒の流れ方向Ｒ６１またはＲ６２に対して冷房時および暖房時とも空気流れＦ６２またはＦ６６（図１０〜１１参照）が対向流になるように、空気の流れを切り換える。これにより、冷媒回路全体の冷媒の流れを切り換える四方切替弁３（図１参照）と別に室内熱交換器６６の冷媒の流れを切り換える四方切替弁を設けて冷媒の流れを制御することなく、冷房時および暖房時の両方において対向流が得られ、熱交換効率をより向上させることが可能になる。
【００８２】
［第５実施形態］
第５実施形態の空気調和装置８１は、図１２〜１３に示されるように、下吸込み上吹出しの床置き型空気調和装置であり、室内熱交換器８６が垂直に配置され、かつ、ケーシング９１内部に固定された仕切り板９４によって室内熱交換器８６の両側面が囲まれている点で、第１実施形態の空気調和装置１と異なっているが、その他の点については共通している。
【００８３】
第５実施形態の空気調和装置８１についても、図１２〜１３に示されるように、右側可動板９２および左側可動板９３が図１２に示される位置と図１３に示される位置との間を変更することによって、以下の項目で詳述する図１２に示される暖房時の空気流れと図１３に示される冷房時の空気流れとを切り換えることが可能になる。
【００８４】
＜暖房時における空気の流れ＞
図１２に示されるように暖房時における一連の空気流れＦ８１〜Ｆ８４のうち、室内熱交換器８６の内部を流れる空気流れＦ８２は、それぞれ移動可能な右側可動板９２および左側可動板９３によって、冷媒入口Ｒ８１inから冷媒出口Ｒ８１outへの冷媒の流れ方向Ｒ８１に対向する対向流となる。
【００８５】
まず、ケーシング下部の吸込口９１ｂから室内の空気がケーシング９１内部に導入される。ついで、室内熱交換器８６の左面側の仕切り板９４下端の左側可動板９３が開いている導入口９６ａから室内熱交換器８６の内部に空気流れＦ８１が流れる。ついで、室内熱交換器８６内部を通って上方に空気流れＦ８２が流れることにより空気と冷媒との間で熱交換が行なわれて空気が加熱される。その後、室内熱交換器８６の右面側の仕切り板９４上端の右側可動板９２が開いている排出口９７ａから室内熱交換器８６の外部に空気流れＦ８３が流れ、最後に、ケーシング９１上部の吹出口９１ａから空気流れＦ８４がケーシング９１外部に吹き出す。
【００８６】
＜冷房時における空気の流れ＞
図１３に示されるように冷房時における空気の流れは、右側可動板９２および左側可動板９３がそれぞれ図１３に示される位置に移動することによって、冷房時においても冷媒入口Ｒ８２inから冷媒出口Ｒ８２outへの冷媒の流れ方向Ｒ８２（Ｒ８２は暖房時の冷媒の流れ方向Ｒ８１から逆方向になる）に対向する対向流となる。
【００８７】
図１３に示されるように、冷房時においては、右側可動板９２は、上方へ移動して、室内熱交換器２６の右面側の仕切り板９４下端に排出口９７ｂを形成する。また、左側可動板９３は、下方へ移動して、室内熱交換器８６の左面側の仕切り板９４上端に導入口９６ｂを形成する。
【００８８】
図１３に示されるように冷房時における空気の流れは、まず、ケーシング９１下部の吸込口９１ｂから室内の空気がケーシング９１内部に空気流れＦ８１のように導入され、左側可動板９３によってドレンパン９５が空気流れＦ８１から隔離された状態で空気流れＦ８１がケーシング９１内部を上方へ流れる。ついで、室内熱交換器８６の左面側の仕切り板９４上端の左側可動板９３が開いている導入口９６ｂから室内熱交換器８６の内部に空気流れＦ８１が流入する。ついで、室内熱交換器８６内部を通って下方に空気流れＦ８６が流れることにより空気と冷媒との間で熱交換が行なわれて空気が冷却される。その後、室内熱交換器８６の右面側の仕切り板９４下端の右側可動板９２が開いている排出口９７ｂから室内熱交換器８６の外部に空気流れＦ８３が吹き出す。最後に、ケーシング上部の吹出口９１ａから空気流れＦ８４がケーシング９１外部に吹き出す。
【００８９】
このとき、室内熱交換器８６で発生するドレンは、室内熱交換器８６の直下に滴下してドレンパン９５に貯められる。しかも、空気流れＦ８６がドレンを室内熱交換器８６の下方へ押し出す方向に室内熱交換器８６の内部を通過するため、ドレンがドレンパン９５の方へ流れ落ちやすくなり、ドレンの回収性能が向上している。
【００９０】
［第５実施形態の特徴］
（１）
第５実施形態の空気調和装置８１では、室内熱交換器８６は、垂直方向に配置され、空気流れは、冷房時に下向きのベクトルを持つ空気流れＦ８６（図１３参照）となる。したがって、冷房時において垂直に配置された室内熱交換器８６の内部を下向きに空気が流れることによって、ドレンの円滑な滴下が可能になる。
【００９１】
（２）
また、第５実施形態の空気調和装置８１についても、第１実施形態の空気調和装置１と同様に、制御部９９は、右側可動板９２および左側可動板９３を動かし、室内熱交換器８６内部における冷媒入口から冷媒出口への冷媒の流れ方向Ｒ８１またはＲ８２に対して冷房時および暖房時とも空気流れＦ８２またはＦ８６（図１２〜１３参照）が対向流になるように、空気の流れを切り換える。これにより、冷媒回路全体の冷媒の流れを切り換える四方切替弁３（図１参照）と別に室内熱交換器８６の冷媒の流れを切り換える四方切替弁を設けて冷媒の流れを制御することなく、冷房時および暖房時の両方において対向流が得られ、熱交換効率をより向上させることが可能になる。
【００９２】
［第６実施形態］
第６実施形態の空気調和装置１２１は、図１４〜１５に示されるように、上吸込み下吹き出しの壁掛け型空気調和装置であり、上吸込み下吹き出しである点、空気流れを規制する仕切り板１４（図４〜５参照）を省略した点、および室内熱交換器１２６の傾斜方向が第１実施形態の室内熱交換器６（図４〜５参照）と比較して逆の傾斜方向になっている点で、第１実施形態の空気調和装置１と異なっているが、その他の点については共通している。
【００９３】
第６実施形態の空気調和装置１２１についても、図１４〜１５に示されるように、上部可動板１３２および下部可動板１３３が図１４に示される位置と図１５に示される位置との間を変更することによって、以下の項目で詳述する図１４に示される暖房時の空気流れと図１５に示される冷房時の空気流れとを切り換えることが可能になる。
【００９４】
＜暖房時における空気の流れ＞
図１４に示されるように暖房時における一連の空気流れＦ１２１〜Ｆ１２５のうち、室内熱交換器１２６の内部を流れる空気流れＦ１２３は、それぞれ移動可能な上部可動板１３２および下部可動板１３３によって、冷媒入口Ｒ１２１inから冷媒出口Ｒ１２１outへの冷媒の流れ方向Ｒ１２１に対向する対向流となる。
【００９５】
まず、ケーシング上部の吸込口１３１ａから室内の空気がケーシング１３１内部に導入される。ついで、室内熱交換器１２６の上面側の最下端部の上部可動板１３２が開いている導入口１３６ａから室内熱交換器１２６の内部に空気流れＦ１２２が流れる。ついで、室内熱交換器１２６内部を通って斜め上方に空気流れＦ１２３が流れることにより空気と冷媒との間で熱交換が行なわれて空気が加熱される。その後、室内熱交換器１２６の下面側の最上端部の下部可動板１３２が開いている排出口１３７ａから室内熱交換器１２６の外部に空気流れＦ１２４が流れ、最後に、ケーシング１３１下部の吹出口１３１ｂから空気流れＦ１２５がケーシング１３１外部に吹き出す。
【００９６】
＜冷房時における空気の流れ＞
図１５に示されるように冷房時における空気の流れは、上部可動板１３２および下部可動板１３３がそれぞれ図１５に示される位置に移動することによって、冷房時においても冷媒入口Ｒ１２２inから冷媒出口Ｒ１２２outへの冷媒の流れ方向Ｒ１２２（Ｒ１２２は暖房時の冷媒の流れ方向Ｒ１２１から逆方向になる）に対向する対向流となる。
【００９７】
図１５に示されるように、冷房時においては、上部可動板１３２は、斜め下方へ移動して、室内熱交換器１２６の上面側の最上端部に導入口１３６ｂを形成する。また、下部可動板１３３は、斜め上方へ移動して、室内熱交換器１２６の下面側の最下端部に排出口１３７ｂを形成する。室内熱交換器１２６のドレンは、排出口１３７ｂから滴下される。
【００９８】
図１５に示されるように冷房時における空気の流れは、まず、ケーシング１３１上部の吸込口１３１ａから室内の空気がケーシング１３１内部に空気流れＦ１２１のように導入され、空気流れＦ１２２がケーシング１１内部を斜め下方へ流れる。ついで、室内熱交換器１２６の上面側の最上端部の上部可動板１３２が開いている導入口１３６ｂから室内熱交換器１２６の内部に空気流れＦ１２２が流入する。ついで、室内熱交換器１２６内部を通って斜め下方に空気流れＦ１２６が流れることにより空気と冷媒との間で熱交換が行なわれて空気が冷却される。その後、室内熱交換器１２６の下面側の最下端部の下部可動板１３３が開いている排出口１３７ｂから室内熱交換器１２６の外部に空気流れＦ１２４が吹き出す。最後に、ケーシング上部の吹出口１３１ｂから空気流れＦ１２５がケーシング１３１外部に吹き出す。
【００９９】
このとき、室内熱交換器１２６で発生するドレンは、排出口１３７ｂから滴下してドレンパン１３５に貯められる。しかも、空気流れＦ１２６がドレンを室内熱交換器１２６の斜め下方へ押し出す方向に室内熱交換器１２６の内部を通過するため、ドレンがドレンパン１３５の方へ流れ落ちやすくなり、ドレンの回収性能が向上している。
【０１００】
［第６実施形態の特徴］
（１）
第６実施形態の空気調和装置１２１は、上吸込み吹出しの壁掛け型空調機であるが、この場合も第１実施形態の空気調和装置１と同様に、室内熱交換器１２６は、所定の角度で下方に傾くように配置され、空気流れは、冷房時に下向きのベクトルを持つ空気流れＦ１２６（図１５参照）となる。したがって、冷房時において下方に傾斜した室内熱交換器１２６の内部を下向きに空気が流れることによって、ドレンの円滑な滴下が可能になる。
【０１０１】
（２）
しかも、空気排出用の排出口１３７ｂからドレンを滴下するので、排出口１３７ｂと別にドレン滴下口を形成する必要がなくなる。そのため、ドレン滴下部分を空気流れから隔離するための仕切り板も不要になり、空気調和装置１２１の構成も簡単になる。
【０１０２】
（３）
さらに、第６実施形態の空気調和装置１２１についても、第１実施形態の空気調和装置１と同様に、制御部１３９は、上部可動板１３２および下部可動板１３３を動かし、室内熱交換器１２６内部における冷媒入口から冷媒出口への冷媒の流れ方向Ｒ１２１またはＲ１２２に対して冷房時および暖房時とも空気流れＦ１２３またはＦ１２６（図１４〜１５参照）が対向流になるように、空気の流れを切り換える。これにより、冷媒回路全体の冷媒の流れを切り換える四方切替弁３（図１参照）と別に室内熱交換器１２６の冷媒の流れを切り換える四方切替弁を設けて冷媒の流れを制御することなく、冷房時および暖房時の両方において対向流が得られ、熱交換効率をより向上させることが可能になる。
【０１０３】
［第７実施形態］
第７実施形態の空気調和装置１４１は、図１６〜１７に示されるように、上吸込み下吹き出しの壁掛け型空気調和装置であり、上吸込み下吹き出しである点、空気流れを規制する仕切り板１４（図４〜５参照）を省略した点、および室内熱交換器１４６が水平に配置された点で第１実施形態の室内熱交換器６（図４〜５参照）と異なっているが、その他の点については共通している。
【０１０４】
第７実施形態の空気調和装置１４１についても、図１６〜１７に示されるように、上部可動板１５２および下部可動板１５３が図１６に示される位置と図１７に示される位置との間を変更することによって、以下の項目で詳述する図１６に示される暖房時の空気流れと図１７に示される冷房時の空気流れとを切り換えることが可能になる。
【０１０５】
＜暖房時における空気の流れ＞
図１６に示されるように暖房時における一連の空気流れＦ１４１〜Ｆ１４４のうち、室内熱交換器１４６の内部を流れる空気流れＦ１４３は、それぞれ移動可能な上部可動板１５２および下部可動板１５３によって、冷媒入口Ｒ１４１inから冷媒出口Ｒ１４１outへの冷媒の流れ方向Ｒ１４１に対向する対向流となる。
【０１０６】
まず、ケーシング上部の吸込口１５１ａから室内の空気がケーシング１５１内部に導入される（空気流れＦ１４１）。ついで、室内熱交換器１４６の上面側右端の上部可動板１５２が開いている導入口１５６ａから室内熱交換器１４６の内部に空気流れＦ１４２が流れる。ついで、室内熱交換器１４６内部を通って水平左向きに空気流れＦ１４３が流れることにより空気と冷媒との間で熱交換が行なわれて空気が加熱される。その後、室内熱交換器１４６の下面側左端の下部可動板１５３が開いている排出口１５７ａから室内熱交換器１４６の外部に空気が流れ、最後に、ケーシング１５１下部の吹出口１５１ｂから空気流れＦ１４４がケーシング１５１外部に吹き出す。
【０１０７】
＜冷房時における空気の流れ＞
図１７に示されるように冷房時における空気の流れは、上部可動板１５２および下部可動板１５３がそれぞれ図１７に示される位置に移動することによって、冷房時においても冷媒入口Ｒ１４２inから冷媒出口Ｒ１４２outへの冷媒の流れ方向Ｒ１４２（Ｒ１４２は暖房時の冷媒の流れ方向Ｒ１４１から逆方向になる）に対向する対向流となる。
【０１０８】
図１７に示されるように、冷房時においては、上部可動板１５２は、右方へ移動して、室内熱交換器２６の上面側左端に導入口１５６ｂを形成する。また、下部可動板１５３は、左方へ移動して、室内熱交換器１４６の下面側右端に排出口１５７ｂを形成する。室内熱交換器１４６のドレンは、排出口１５７ｂから滴下される。
【０１０９】
図１７に示されるように冷房時における空気の流れは、まず、ケーシング１５１上部の吸込口１５１ａから室内の空気がケーシング１５１内部に空気流れＦ１４１のように導入され、空気流れＦ１４２がケーシング１５１内部を下方へ流れる。ついで、室内熱交換器１４６の上面側左端の上部可動板１５２が開いている導入口１５６ｂから室内熱交換器１４６の内部に空気流れＦ１４２が流入する。ついで、室内熱交換器１４６内部を通って右方に空気流れＦ１４６が流れることにより空気と冷媒との間で熱交換が行なわれて空気が冷却される。その後、室内熱交換器１４６の下面側右端の下部可動板１５３が開いている排出口１５７ｂから室内熱交換器１４６の外部に空気が吹き出す。最後に、ケーシング上部の吹出口１５１ｂから空気流れＦ１４４がケーシング１５１外部に吹き出す。
【０１１０】
このとき、室内熱交換器１４６で発生するドレンは、排出口１５７ｂから滴下してドレンパン１５５に貯められる。しかも、空気流れＦ１４６がドレンを室内熱交換器１４６の右方へ押し出す方向に室内熱交換器１４６の内部を通過するため、ドレンがドレンパン１５５の方へ流れ落ちやすくなり、ドレンの回収性能が向上している。
【０１１１】
［第７実施形態の特徴］
（１）
第７実施形態の空気調和装置１４１では、図１６〜１７に示されるように、室内熱交換器１４６が水平方向に配置されているので、空気調和装置１４１の全体の高さを低くすることが可能になる
（２）
第７実施形態の空気調和装置１４１では、冷房時において図１７に示されるように、空気流れＦ１４６がドレンを室内熱交換器１４６の右方へ押し出す方向に室内熱交換器１４６の内部を通過するため、ドレンがドレンパン１５５の方へ流れ落ちやすくなり、ドレンの回収性能が向上している。
【０１１２】
（３）
しかも、空気排出用の排出口１５７ｂからドレンを滴下するので、排出口１５７ｂと別にドレン滴下口を形成する必要がなくなる。そのため、ドレン滴下部分を空気流れから隔離するための仕切り板も不要になり、空気調和装置１４１の構成も簡単になる。
【０１１３】
（４）
また、第７実施形態の空気調和装置１４１についても、第１実施形態の空気調和装置１と同様に、制御部１５９は、上部可動板１５２および下部可動板１５３を動かし、室内熱交換器１４６内部における冷媒入口から冷媒出口への冷媒の流れ方向Ｒ１４１またはＲ１４２に対して冷房時および暖房時とも空気流れＦ１４３またはＦ１４６（図１６〜１７参照）が対向流になるように、空気の流れを切り換える。これにより、冷媒回路全体の冷媒の流れを切り換える四方切替弁３（図１参照）と別に室内熱交換器１４６の冷媒の流れを切り換える四方切替弁を設けて冷媒の流れを制御することなく、冷房時および暖房時の両方において対向流が得られ、熱交換効率をより向上させることが可能になる。
【０１１４】
［第８実施形態］
第８実施形態の空気調和装置１６１は、図１８〜１９に示されるように、上吸込み下吹き出しの壁掛け型空気調和装置であり、上吸込み下吹き出しである点、および室内熱交換器１６６が垂直に配置され、かつ、ケーシング１７１内部に固定された仕切り板１７４によってドレンパン１７５が囲まれている点で、第１実施形態の空気調和装置１と異なっているが、その他の点については共通している。
【０１１５】
第８実施形態の空気調和装置１６１についても、図１８〜１９に示されるように、右側可動板１７２および左側可動板１７３が図１８に示される位置と図１９に示される位置との間を変更することによって、以下の項目で詳述する図１８に示される暖房時の空気流れと図１９に示される冷房時の空気流れとを切り換えることが可能になる。
【０１１６】
＜暖房時における空気の流れ＞
図１８に示されるように暖房時における一連の空気流れＦ１６１〜Ｆ１６４のうち、室内熱交換器１６６の内部を流れる空気流れＦ１６３は、それぞれ移動可能な右側可動板１７２および左側可動板１７３によって、冷媒入口Ｒ１６１inから冷媒出口Ｒ１６１outへの冷媒の流れ方向Ｒ１６１に対向する対向流となる。
【０１１７】
まず、ケーシング上部の吸込口１７１ａから室内の空気がケーシング１７１内部に導入される。ついで、仕切り板１７４によってドレン滴下口１７８およびドレンパン１７５が空気流れＦ１６２から隔離された状態で、室内熱交換器１６６の右面側下端の右側可動板１７２が開いている導入口１７６ａから室内熱交換器１６６の内部に空気流れＦ１６２が流れる。ついで、室内熱交換器１６６内部を通って上方に空気流れＦ１６３が流れることにより空気と冷媒との間で熱交換が行なわれて空気が加熱される。その後、室内熱交換器１６６の左面側上端の左側可動板１７３が開いている排出口１７７ａから室内熱交換器１６６の外部に空気が流れ、最後に、ケーシング１７１下部の吹出口１７１ｂから空気流れＦ１６４がケーシング１７１外部に吹き出す。
【０１１８】
＜冷房時における空気の流れ＞
図１９に示されるように冷房時における空気の流れは、右側可動板１７２および左側可動板１７３がそれぞれ図１９に示される位置に移動することによって、冷房時においても冷媒入口Ｒ１６２inから冷媒出口Ｒ１６２outへの冷媒の流れ方向Ｒ１６２（Ｒ１６２は暖房時の冷媒の流れ方向Ｒ１６１から逆方向になる）に対向する対向流となる。
【０１１９】
図１９に示されるように、冷房時においては、右側可動板１７２は、下方へ移動して、室内熱交換器１６６の右面側上端に導入口１７６ｂを形成する。また、左側可動板１７３は、上方へ移動して、室内熱交換器１６６の左面側下端に排出口１７７ｂを形成する。
【０１２０】
図１９に示されるように冷房時における空気の流れは、まず、ケーシング１７１上部の吸込口１７１ａから室内の空気がケーシング１７１内部に空気流れＦ１６１のように導入される。ついで、室内熱交換器１６６の右面側上端の右側可動板１７２が開いている導入口１７６ｂから室内熱交換器１６６の内部に空気流れＦ１６２が流入する。ついで、室内熱交換器１６６内部を通って下方に空気流れＦ１６６が流れることにより空気と冷媒との間で熱交換が行なわれて空気が冷却される。その後、室内熱交換器１６６の左面側下端の左側可動板１７３が開いている排出口１７７ｂから室内熱交換器１６６の外部に空気が吹き出す。最後に、ケーシング下部の吹出口１７１ｂから空気流れＦ１６４がケーシング１７１外部に吹き出す。
【０１２１】
このとき、室内熱交換器１６６で発生するドレンは、ドレン滴下口１７８から滴下してドレンパン１７５に貯められる。しかも、空気流れＦ１６６がドレンを室内熱交換器１６６の下方へ押し出す方向に室内熱交換器１６６の内部を通過するため、ドレンがドレンパン１７５の方へ流れ落ちやすくなり、ドレンの回収性能が向上している。
【０１２２】
［第８実施形態の特徴］
（１）
第８実施形態の空気調和装置１６１では、室内熱交換器１６６は、垂直方向に配置され、空気流れは、冷房時に下向きのベクトルを持つ空気流れＦ１６６（図１９参照）となる。したがって、冷房時において垂直に配置された室内熱交換器１６６の内部を下向きに空気が流れることによって、ドレンの円滑な滴下が可能になる。
【０１２３】
（２）
また、第８実施形態の空気調和装置１６１についても、第１実施形態の空気調和装置１と同様に、制御部１７９は、右側可動板１７２および左側可動板１７３を動かし、室内熱交換器１６６内部における冷媒入口から冷媒出口への冷媒の流れ方向Ｒ１６１またはＲ１６２に対して冷房時および暖房時とも空気流れＦ１６３またはＦ１６６（図１８〜１９参照）が対向流になるように、空気の流れを切り換える。これにより、冷媒回路全体の冷媒の流れを切り換える四方切替弁３（図１参照）と別に室内熱交換器１６６の冷媒の流れを切り換える四方切替弁を設けて冷媒の流れを制御することなく、冷房時および暖房時の両方において対向流が得られ、熱交換効率をより向上させることが可能になる。
【０１２４】
［第９実施形態］
第９実施形態の空気調和装置１８１は、図２０〜２１に示されるように、上吸込み下吹き出しの壁掛け型空気調和装置であり、上吸込み下吹き出しである点、および室内熱交換器１８６が垂直に配置され、かつ、ケーシング１９１内部に固定された仕切り板１９４によって室内熱交換器１８６の両側面が囲まれている点で、第１実施形態の空気調和装置１と異なっているが、その他の点については共通している。
【０１２５】
第９実施形態の空気調和装置１８１についても、図２０〜２１に示されるように、右側可動板１９２および左側可動板１９３が図２０に示される位置と図２１に示される位置との間を変更することによって、以下の項目で詳述する図２０に示される暖房時の空気流れと図２１に示される冷房時の空気流れとを切り換えることが可能になる。
【０１２６】
＜暖房時における空気の流れ＞
図２０に示されるように暖房時における一連の空気流れＦ１８１〜Ｆ１８４のうち、室内熱交換器１８６の内部を流れる空気流れＦ１８３は、それぞれ移動可能な右側可動板１９２および左側可動板１９３によって、冷媒入口Ｒ１８１inから冷媒出口Ｒ１８１outへの冷媒の流れ方向Ｒ１８１に対向する対向流となる。
【０１２７】
まず、ケーシング上部の吸込口１９１ａから室内の空気がケーシング１９１内部に導入される。ついで、室内熱交換器１８６の右面側の仕切り板１９４下端の右側可動板１９２が開いている導入口１９６ａから室内熱交換器１８６の内部に空気流れＦ１８２が流れる。ついで、室内熱交換器１８６内部を通って上方に空気流れＦ１８３が流れることにより空気と冷媒との間で熱交換が行なわれて空気が加熱される。その後、室内熱交換器１８６の左面側の仕切り板１９４上端の左側可動板１９３が開いている排出口１９７ａから室内熱交換器１８６の外部に空気が流れ、最後に、ケーシング１９１下部の吹出口１９１ｂから空気流れＦ１８４がケーシング１９１外部に吹き出す。
【０１２８】
＜冷房時における空気の流れ＞
図２１に示されるように冷房時における空気の流れは、右側可動板１９２および左側可動板１９３がそれぞれ図２１に示される位置に移動することによって、冷房時においても冷媒入口Ｒ１８２inから冷媒出口Ｒ１８２outへの冷媒の流れ方向Ｒ１８２（Ｒ１８２は暖房時の冷媒の流れ方向Ｒ１８１から逆方向になる）に対向する対向流となる。
【０１２９】
図２１に示されるように、冷房時においては、右側可動板１９２は、下方へ移動して、室内熱交換器２６の右面側の仕切り板１９４上端に導入口１９６ｂを形成する。また、左側可動板１９３は、上方へ移動して、室内熱交換器１８６の左面側の仕切り板１９４下端に導入口１９７ｂを形成する。
【０１３０】
図２１に示されるように冷房時における空気の流れは、まず、ケーシング１９１上部の吸込口１９１ａから室内の空気がケーシング１９１内部に空気流れＦ１８１のように導入される。ついで、室内熱交換器１８６の右面側の仕切り板１９４上端の右側可動板１９２が開いている導入口１９６ｂから室内熱交換器１８６の内部に空気流れＦ１８２が流入する。ついで、室内熱交換器１８６内部を通って下方に空気流れＦ１８６が流れることにより空気と冷媒との間で熱交換が行なわれて空気が冷却される。その後、室内熱交換器１８６の左面側の仕切り板１９４下端の左側可動板１９３が開いている排出口１９７ｂから室内熱交換器１８６の外部に空気が吹き出す。最後に、ケーシング下部の吹出口１９１ｂから空気流れＦ１８４がケーシング１９１外部に吹き出す。
【０１３１】
このとき、室内熱交換器１８６で発生するドレンは、室内熱交換器１８６の直下に滴下してドレンパン１９５に貯められる。しかも、空気流れＦ１８６がドレンを室内熱交換器１８６の下方へ押し出す方向に室内熱交換器１８６の内部を通過するため、ドレンがドレンパン１９５の方へ流れ落ちやすくなり、ドレンの回収性能が向上している。
【０１３２】
［第９実施形態の特徴］
（１）
第９実施形態の空気調和装置１８１では、室内熱交換器１８６は、垂直方向に配置され、空気流れは、冷房時に下向きのベクトルを持つ空気流れＦ１８６（図２１参照）となる。したがって、冷房時において垂直に配置された室内熱交換器１８６の内部を下向きに空気が流れることによって、ドレンの円滑な滴下が可能になる。
【０１３３】
（２）
また、第９実施形態の空気調和装置１８１についても、第１実施形態の空気調和装置１と同様に、制御部１９９は、右側可動板１９２および左側可動板１９３を動かし、室内熱交換器１８６内部における冷媒入口から冷媒出口への冷媒の流れ方向Ｒ１８１またはＲ１８２に対して冷房時および暖房時とも空気流れＦ１８３またはＦ１８６（図２０〜２１参照）が対向流になるように、空気の流れを切り換える。これにより、冷媒回路全体の冷媒の流れを切り換える四方切替弁３（図１参照）と別に室内熱交換器１８６の冷媒の流れを切り換える四方切替弁を設けて冷媒の流れを制御することなく、冷房時および暖房時の両方において対向流が得られ、熱交換効率をより向上させることが可能になる。
【産業上の利用可能性】
【０１３４】
以上のように、本発明は熱交換器を備えた空気調和装置に有用であり、ＣＯ２冷媒を使用する空気調和装置に好適に利用することが可能である。また、ＣＯ２冷媒以外の冷媒を用いた空気調和装置に利用することも可能である。
【図面の簡単な説明】
【０１３５】
【図１】本発明の第１実施形態に係わるＣＯ２冷媒を使用した空気調和装置の冷凍回路。
【図２】図１の空気調和装置のＣＯ２冷媒の特性を示す状態図であって、（ａ）はＣＯ２冷媒の圧力−エンタルピー状態図、（ｂ）はＣＯ２冷媒の温度−エントロピー状態図。
【図３】図１の室内熱交換器の構造を示す斜視図。
【図４】図１の空気調和装置の内部の暖房時における空気流路の構成図。
【図５】図１の空気調和装置の内部の冷房時における空気流路の構成図。
【図６】本発明の第２実施形態に係わる空気調和装置の内部の暖房時における空気流路の構成図。
【図７】本発明の第２実施形態に係わる空気調和装置の内部の冷房時における空気流路の構成図。
【図８】本発明の第３実施形態に係わる空気調和装置の内部の暖房時における空気流路の構成図。
【図９】本発明の第３実施形態に係わる空気調和装置の内部の冷房時における空気流路の構成図。
【図１０】本発明の第４実施形態に係わる空気調和装置の内部の暖房時における空気流路の構成図。
【図１１】本発明の第４実施形態に係わる空気調和装置の内部の冷房時における空気流路の構成図。
【図１２】本発明の第５実施形態に係わる空気調和装置の内部の暖房時における空気流路の構成図。
【図１３】本発明の第５実施形態に係わる空気調和装置の内部の冷房時における空気流路の構成図。
【図１４】本発明の第６実施形態に係わる空気調和装置の内部の暖房時における空気流路の構成図。
【図１５】本発明の第６実施形態に係わる空気調和装置の内部の冷房時における空気流路の構成図。
【図１６】本発明の第７実施形態に係わる空気調和装置の内部の暖房時における空気流路の構成図。
【図１７】本発明の第７実施形態に係わる空気調和装置の内部の冷房時における空気流路の構成図。
【図１８】本発明の第８実施形態に係わる空気調和装置の内部の暖房時における空気流路の構成図。
【図１９】本発明の第８実施形態に係わる空気調和装置の内部の冷房時における空気流路の構成図。
【図２０】本発明の第９実施形態に係わる空気調和装置の内部の暖房時における空気流路の構成図。
【図２１】本発明の第９実施形態に係わる空気調和装置の内部の冷房時における空気流路の構成図。
【符号の説明】
【０１３６】
１、２１・・・、１８１  空気調和装置
６、２６・・・、１８６  室内熱交換器
１１、３１・・・、１９１  ケーシング
１２、１３、３２、３３、・・・、１９２、１９３  可動板
１４、３４・・・、１９４  仕切り板
１５、３５・・・、１９５  ドレンパン
１９、３９・・・、１９９  制御部
【図１】
2008008592.tif 000003
【図２】
2008008592.tif 000004
【図３】
2008008592.tif 000005
【図４】
2008008592.tif 000006
【図５】
2008008592.tif 000007
【図６】
2008008592.tif 000008
【図７】
2008008592.tif 000009
【図８】
2008008592.tif 000010
【図９】
2008008592.tif 000011
【図１０】
2008008592.tif 000012
【図１１】
2008008592.tif 000013
【図１２】
2008008592.tif 000014
【図１３】
2008008592.tif 000015
【図１４】
2008008592.tif 000016
【図１５】
2008008592.tif 000017
【図１６】
2008008592.tif 000018
【図１７】
2008008592.tif 000019
【図１８】
2008008592.tif 000020
【図１９】
2008008592.tif 000021
【図２０】
2008008592.tif 000022
【図２１】
2008008592.tif 000023